【事件の表示】
　特許第３０９８０００号「飲食物供給用循環型搬送路」の請求項１ないし９に係る特許に対する特許異議の申立てについて、次のとおり決定する。
【結　論】
　特許第３０９８０００号の請求項１ないし９に係る特許を維持する。
【理　由】
〔１〕本件発明
　特許第3098000号（平成９年８月８日出願、平成12年８月11日設定登録。）の請求項１〜９に係る発明（以下「本件発明１」〜「本件発明９」という。）は、その特許請求の範囲の請求項１〜９に記載された次の事項により特定されるとおりのものである。
「【請求項１】飲食物を飲食客に提供する循環型搬送路上には、不動のスライド板が設けられ、前記スライド板上にはマグネットと反応する基材と連動して移動する飲食物容器が載置されるとともに、スライド板下部には、循環移動するマグネットが設けられていることを特徴とする飲食物供給用循環型搬送路。
【請求項２】前記マグネットと反応する基材が、飲食物容器と一体化されている請求項１に記載の飲食物供給用循環型搬送路。
【請求項３】前記飲食物容器が、前記マグネットに反応し、その移動に連動して移動する載置台に載置されている請求項１に記載の飲食物供給用循環型搬送路。
【請求項４】前記搬送路内部が、前記スライド板により密封されている請求項１〜３のいずれかに記載の飲食物供給用循環型搬送路。
【請求項５】前記マグネットが、通電により磁化する電磁石である請求項１〜４のいずれかに記載の飲食物供給用循環型搬送路。
【請求項６】前記スライド板が透明部材からなっており、前記搬送路内から飲食物容器の有無または飲食物容器に付与された個別のＩＤ等を光を用いて検出する光検出手段が設けられている請求項１〜５のいずれかに記載の飲食物供給用循環型搬送路。
【請求項７】前記飲食物容器または載置台の下面に脚として機能する突起部が形成されている請求項１〜６のいずれかに記載の記載の飲食物供給用
循環型搬送路。
【請求項８】前記搬送路が、透明性を有し、開閉可能とされた連続するトンネル状のカバー部材により覆われている請求項１〜７のいずれかに記載の飲食物供給用循環型搬送路。
【請求項９】前記スライド板が透明性を有する部材から成り、前記搬送路内に照明手段が設けられている請求項１〜９のいずれかに記載の食物供給用循環型搬送路。」
　
〔２〕申立ての理由の概要
　申立人彦田健治は、本件発明１〜９は、甲第１号証（実願平3-93296号（実開平5-35183号）のCD-ROM）、甲第２号証（実願平5-9212号（実開平6-59334号）のCD-ROM）、甲第３号証（特開平5-124728号）、甲第４号証（登録実用新案第3032682号公報）、甲第５号証（特開平11-3924号公報）、甲第６号証（特開平5-123237号公報）、甲第７号証（特開平5-189588号公報）、甲第８号証（実願昭61-98583号（実開昭63-5873号公報）のマイクロフィルム）、甲第９号証（実願昭60-201237号（実開昭62-107773号）のマイクロフィルム）、甲第10号証（特開平6-314285号公報）、甲第11号証（特開平8-44794号公報）、甲第12号証（実開昭61-123783号公報）、甲第13号証（特開平10-85115号公報）に記載された発明であるから、特許法第29条第１項第３号により、あるいは甲第１〜13号証に記載されたものに基づいて当業者が容易に発明をすることができたものであるから、特許法第29条第２項の規定により、特許を受けることができないものである、と主張している。（なお、本件発明１〜９は、平成９年８月８日に出願されているのに対し、甲第５号証のものは、平成11年１月６日に公開されており、同じく甲第13号証のものは、平成10年４月７日に公開されているので、上記のいずれの規定にも該当しないから、証拠として採用できない。）
　
〔３〕甲号各証に記載の発明
　甲第１号証には、スキー滑走玩具に関して、図１〜３とともに以下の事項が記載されている。
(1)「滑降面の裏側上下に、循環する吸着手段で以て前記滑走体を横方向に移動させるための横送装置を備えて成るスキー滑走玩具。・・・スキーヤー人形のスキーに永久磁石を固定する・・・」（実用新案登録請求の範囲）
(2)「滑降面を滑走してきた滑走体はストッパーに当たって停止した後、横送装置によってリフト側へ横送りされ、循環してくるリフトに吸着され、滑降面上端に搬送され、そこで解放される。」（段落【0005】）
(3)「滑降面1aは、薄いプラスチック板、金属板等の滑りやすい素材製とする。」（段落【0006】）
(4)「スキー板22のＶ字形交点上にも永久磁石23が、案内磁石７に対し同極が対向するようにして配備される。更に、図示してないが、スキー板22のＶ字形交点の裏側に、下部を露出させ且つ回転自在にしてボールを埋設することとしてもよい。このボールは重りとなって、スキーヤー人形４が滑走方向に対し常に前向きになるように作用すると共に、滑降面1aに対するスキー板22の摩擦を少なくして滑りをよくする作用を果たす。・・・なお、搬送磁石18と永久磁石21の一方、並びに、下記横送磁石27は、鉄板等の磁性体であってもよい。・・・26は磁石循環ベルトで、ベルト表面に固定された複数の横送磁石27を、モーター28によって循環駆動する。」（段落【0009】、【0010】、【0011】）
(5)「ストッパー25に当たって停止しているスキーヤー人形４は、そのスキー板22の永久磁石23が横送装置６の循環する横送磁石27に引きつけられ、横送磁石27の動きに追随してリフト方向へ移動する。」（段落【0012】）
(6)「切り離されたスキーヤー人形４は再び滑降面1a上に落ちるが、その下には、横送装置５の磁石循環ベルト26が下側の横送装置６におけると逆方向に循環している。そのためスキーヤー人形４は、横送装置５の横送磁石27に吸引され、リフト17と逆方向に横送される。」（段落【0013】）
　甲第２号証には、磁石式鉄搬送装置に関して、図１、２とともに、以下の事項が記載されている。
(7)「磁石による鉄搬送装置であって、非磁性物で作られたパイプ(3)の中を、適当な間隔で磁石(1)を取り付けた非磁性物で作られた紐状の物(2)を巡回させ磁力により鉄を付着して搬送する搬送装置。」（実用新案登録請求の範囲）
(8)「当考案の搬送装置は、非磁性物で作ったパイプ３の中を、適当な間隔で磁石１を付けた非磁性物の紐状の物２を巡回させ比較的小さな鉄を搬送するものです。非磁性物で作ったパイプ３の中を、適当な間隔で磁石１を付けた非磁性物の紐状の物２を巡回させることにより、磁力によりパイプ３の外側に鉄を付着し、磁石１の移動により付着している鉄も磁石１の移動に従って移動し搬送されます。」（段落【0012】）
(9)「磁石１を付けた紐状の物２をガイドロール７、８でガイドし、送りロール５とモーター６により巡回させます。」（段落【0013】）
(10)「紐状の物２を左回りで巡回させますと、ガイドロール７と鍔４の間に在る鉄は、磁石１の磁力によりパイプの外側に付着して磁石１の移動に従って鍔４の方に搬送されて来ます」（段落【0015】）
(11)「パイプの中を磁石を付けた紐状の物を巡回させ搬送する構造ですので、構造が簡単で安価に製作出来ます、設置スペースも少なくて済みます。」（段落【0017】）
　甲第３号証には、マグネチックリンクコンベヤに関して、図１〜14とともに以下の事項が記載されている。
(12)「着磁性のある搬送物を搬送する密閉構造の中空搬送通路を非磁性材で形成し、該中空搬送通路の内部に非磁性材からなる中空索条通路を配設し、該中空索条通路内に磁石を取付けた無端状の索条を循環動自在に通した・・・密閉構造の中空通路を非磁性材で形成し、該中空通路の内部を搬送方向に沿って非磁性材で、着磁性のある搬送物を搬送する搬送通路と索条通路とに分割し、索条通路内に磁石を取付けた無端状の索条を循環動自在に通した・・・」（特許請求の範囲）
(13)「プレス打抜屑や長いカール状切粉などの着磁性のある搬送物を搬送させるマグネチックリンクコンベヤに関するものである。」（段落【0001】）
(14)「マグネチックリンクコンベヤ１は、例えばプレス打抜屑や長いカール状切粉などのように磁界中に入れると磁化される磁性体、つまり着磁性搬送物aを搬送させる装置で、中空搬送通路２、中空索条通路３、磁石４を取付けた無端状の索条５などから構成されている。」（段落【0017】）
　甲第４号証には、コンベア装置に関して、図１〜５とともに以下の事項が記載されている。
(15)「仕切板をマグネットの磁力により固定することを特徴とする請求項１記載のコンベア装置。」（実用新案登録請求の範囲の請求項２）
(16)「仕切板をマグネットにてコンベアに固定するようにしているので、仕切板の取付位置の変更はこのマグネットを外すだけで簡単に変更でき、しかも取付位置を任意とすることができる。」（段落【0007】）
(17)「このマグネット式では仕切板の下端にマグネット（永久磁石）３を取り付け、このマグネットにてベルトコンベアに吸着させる。従ってベルトコンベアは励磁性材質でエンドレス状に形成する。仕切板に設けるマグネットは仕切板の全長に亘って設けることも、あるいは図１に示すように仕切板の両端部分、又は複数箇所に配設するもので、これにより仕切板は所定の吸着力にてベルトコンベアに固定されるようにする。」（段落【0012】）
　甲第６号証には、符号を備えた食器と符号の形成方法に関して、図１〜４とともに以下の事項が記載されている。
(18)「食器と符号とを同時に一体成型したことを特徴とする食器。」（特許請求の範囲の請求項１）
(19)「本発明の碗１は、陶器または磁器等のセラミックス部材またはバルクの樹脂部材または透明なガラス部材などからなり、側面と底面のそれぞれにバーコード3A、3Bを所定に配設してなるものである。」（段落【0007】）
(20)「バーコードリーダ（符号解読機／図示せず。）により、碗１の生産工程または店頭販売時点または食費の清算時点で前記バーコードから目的とする必要データを読み取ることにより、必要データの集計・管理・清算等が的確に迅速に実施される。」（段落【0020】）
　甲第７号証には、符号を備えた花器または植木鉢と符号の成型方法に関して、図１〜４とともに以下の事項が記載されている。
(21)「本発明の腕形花器１は、陶器または磁器等のセラミックス部材（いわゆる瀬戸物）またはバルクの樹脂部材またはガラス部材などからなり、側面と底面のそれぞれにバーコード3A、3Bを所定に配設してなるものである。」（段落【0007】）
(22)「バーコードリーダ（符号解読器／図示せず。）により、碗形花器１の各生産行程または店頭販売時点で前記バーコードから目的とする必要データを読み取ることにより、必要データの集計・管理・清算等が的確に迅速に実施される。上述の如く本発明の碗形花器１はバーコードを備えることにより、機械的に識別管理でき、かつ管理データを各種目的に有効活用できるものである。」（段落【0019】）
　甲第８号証には、光センサ付飲食カウンタ用の飲食物容器に関して、第１〜５図とともに以下の事項が記載されている。
(23)「飲食物容器の収容部以外の面の少なくとも一部に識別マークを有する光センサ付飲食カウンタ用の飲食物容器。」（実用新案登録請求の範囲）
(24)「飲食物移送用コンベヤ路の周囲に、例えばカラーセンサ又はイメージセンサを配設して、飲食物移送用コンベヤ路を送られてくる飲食物の種類を容器別に機械的に識別して、例えば、その数を飲食物の種類毎に計数することができる。」（明細書第７頁第17行〜第８頁第１行）
　甲第９号証には、光センサ付飲食カウンタに関し、第１、２図とともに以下に事項が記載されている。
(25)「飲食カウンタ１は、飲食移送用コンベヤ路２の外側周囲にカウンタ３が設けられている。本例において飲食物移送用コンベヤ路２はクレセント形のフラットトップチェーンコンベヤ路であり、その他のコンベヤ路を使用することができる。コンベヤ路２は客席側４と厨房側５を循環移動する。本例において、飲食物検出部６は、厨房側５への戻り口７に設けられており、検出部６からの信号は、夫々カウンタに送られ、計数された数は表示盤（図示されていない。）に表示される。検出部６は、カラーセンサ８とイメージセンサ９及び光源10が設けられており、カラーセンサ８及びイメージセンサ９は、コンベヤ路２上を移動する飲食物の色調及び形状を夫々検出し、両者の検出データを組合せて、飲食物の種類及び個数が確定される。」（明細書第６頁第14行〜第７頁第９行）
　甲第10号証には、商品販売データ管理装置に関して、図１〜７とともに以下の事項が記載されている。
(26)「本実施例で例示するデータ処理装置17は、図１に例示するように、いわゆる回転寿司と呼称される店舗18に組込まれている。そして、この店舗18の、カウンタ７には顧客８用の多数の座席９が対向配置され、厨房20には板前10用のネタ11や酢飯12や小皿19等が配列され、出入口13の近傍の会計部14には会計係16用の電子キャッシュレジスタ15が配置されている。・・・そして、この店舗18では、寿司２が載置された小皿19を商品として楕円形の循環搬送路４で順次搬送するコンベヤ装置が、厨房20に位置する半円形のベルトコンベヤ21とカウンタ７に対向するＵ字形のベルトコンベヤ22とで形成されており、同図及び図２に例示するように、これらのベルトコンベヤ21、22の間隙23、24に下方から対向する位置にはバーコードリーダ25、26が配置され、前記ベルトコンベヤ21、22の表面上には前記間隙23、24に向かって搬送方向で間隙が減少するガイド板27が設けられている。」（段落【0011】、【0012】）
(27)「食事を終了した顧客８が会計部14で会計処理を所望すると、これに応対する会計係16は顧客８が着席していた座席９の位置の小皿３の商品データを電子キャッシュレジスタ15に備付けのバーコードで読取って会計処理を実行するようになっている。」（段落【0025】）
　甲第11号証には、食堂の食器分類方法及び該分類方法に用いる食器並びに精算装置及び食器仕分け装置に関して、図１〜11とともに以下の事項が記載されている。
(28)「食器を精算装置或いは食器仕分け装置のタグ読取装置へ載置し、該タグ読取装置の発信アンテナから発信する複数の周波数の電波により前記食器から発信されるエコー波を受信アンテナで読み取り、該受信アンテナが読み取ったエコー波の共振周波数にて前記食器を仕分けたこと」（特許請求の範囲の請求項１）
　甲第12号証には、カバーで覆われたコンベヤ路を有する食事台に関して、図とともに以下の事項が記載されている。
(29)「カバーで覆われたコンベヤ路を有する食事台において、該カバーの少くとも一方の側方部が、コンベヤ路を中心に外方に湾曲すると共に、これと同様に湾曲する仕切枠で区画されており、少くともこの区画された一つの区画と隣合う区画に、夫々、隣合う仕切枠の対向する側の長手方向に形成された案内路に両端が移動可能に係合する透明ドア部材が配置されていることを特徴とする食事台。」（実用新案登録請求の範囲）
　
〔４〕対比・判断
　本件発明１と甲第10号証に記載されたものを対比すると、甲第10号証に記載のものの「寿司２」、「循環搬送路４」が、本件発明１の「飲食物」、「循環型搬送路」にそれぞれ相当するから、
　両者は、「飲食物を飲食客に提供する循環型搬送路上には、飲食物容器が載置されるとともに、循環移動することを特徴とする飲食物供給用循環型搬送路」の点で一致しており、
　本件発明１は、「不動のスライド板が設けられ、前記スライド板上にはマグネットと反応する基材と連動して移動する飲食物容器が載置されるとともに、スライド板下部には、循環移動するマグネットが設けられている」のに対し、甲第10号証に記載のものは、その構成を備えていない点で相違する。
　また、甲第１〜４号証、甲第６〜９号証、甲第11、12号証を検討しても、いずれの甲各号証も、「不動のスライド板が設けられ、前記スライド板上には、マグネットと反応する基材と連動して移動する飲食物容器が載置されるとともに、スライド板下部には、循環移動するマグネットが設けられている」構成を備えていない。
　したがって、本件発明１は、甲第１〜４号証、甲第６〜12号証に記載された発明ではない。
　また、確かに、甲第１号証には、移動するマグネットを備え、滑降面をスキー滑走玩具が摺動する点が記載されているが、このものは玩具であり、本件発明１は、飲食物供給用循環型搬送路である点で、技術分野が全く異なるし、
　甲第２号証には、非磁性物で作られたパイプの中をマグネットが移動し、マグネットに吸着した鉄を搬送する装置が記載されているが、このものは鉄搬送装置であるのに対し、本件発明１は、飲食物供給用循環型搬送路である点で、技術分野が全く異なるし、
　甲第３号証には、甲第２号証と同様な構成を有しているが、このものは、プレス打抜屑やカール状切粉搬送装置であるのに対し、本件発明１は、飲食物供給用循環型搬送路である点で、技術分野が全く異なるし、
　甲第４号証には、仕切板をマグネットによりベルトコンベアに吸着させ搬送物を搬送させているが、このものは、本件発明１と構成が異なり、技術分野も全く異なるし、
　甲第６、７号証のものは、構成が全く異なるし、　甲第８、９、12号証のものは、飲食物供給用循環型搬送路である点では同じ構成であるが、不動のスライド板、移動するマグネットを有していないし、
　甲第11号証のものは、飲食物の皿に関するものであるが、不動のスライド板、移動するマグネットを有していない点で、それぞれ異なる。
　そして、本件発明１は、上記構成を有することにより、「スライド板を不動の平滑なものとすることができることから、スライド板をテーブル面のようにその表面を拭くのみで容易に清掃ができることになる。」という明細書記載の効果を奏するものと認められる。
　したがって、本件発明１は、甲第１〜４号証、甲第６〜12号証に記載されたものに基づいて当業者が容易に発明をすることができたものとすることはできない。
　
　本件発明２〜９は、本件発明１に構成要件を更に追加して特許請求の範囲を減縮したものであるから、甲第１〜４、６〜12号証に記載された発明とはいえないものであるとともに、本件発明１が甲第１〜４、６〜12号証に基づいて当業者が容易に発明をすることができたものでない以上、甲第１〜４、６〜12号証に基づいて当業者が容易に発明をすることができたものではない。
　
〔５〕むすび
　以上のとおりであるから、特許異議申立ての理由及び証拠によっては本件発明１〜９についての特許を取り消すことはできない。
　また、他に本件発明１〜９についての特許を取り消すべき理由を発見しない。
　よって、結論のとおり決定する。
【異議決定日】
平成１３年８月１５日（２００１．８．１５）